(57)【要約】【課題】  画像形成装置などの重量物を運搬、移動する際に便利なように、外側壁に設けた穴から取っ手が出入れ自在に支持されている場合に、取っ手周辺の障害物の存在にも拘わらず取っ手を十分な強度を有した構造体に支持しつつ、作業者が把持し易い姿勢で取っ手を利用することを可能とした画像形成装置を提供する。【解決手段】  外側壁２に設けた穴３から外側壁内外に出入れ可能に構成された直線状の取っ手４を備え、該穴の横方向近傍の外側壁面に突出部５が存在する画像形成装置において、取っ手を該穴から外部へ引き出した際に、取っ手が該突出部から離間する水平方向へ一定の傾斜角度をもって突出するように構成されている。【選択図】    図１
2005091946.tif 000002
【特許請求の範囲】
【請求項１】
外側壁に設けた穴から外側壁内外に出入れ可能に構成された取っ手を備え、該穴の横方向近傍の外側壁面に突出部が存在する画像形成装置において、
前記取っ手を該穴から外部へ引き出した際に、取っ手が該突出部から離間する水平方向へ一定の傾斜角度をもって突出するように構成されていることを特徴とする画像形成装置。
【請求項２】
前記取っ手を前記穴から引き出した状態に於いて、該取っ手は前記穴内で所定の範囲内で上下方向へ傾動できるように構成されていることを特徴とする請求項１に記載の画像形成装置。
【請求項３】
前記穴から引き出した前記取っ手を把持して上向きの荷重をかけた際に、取っ手後端部が当接して荷重がかる部分が、前記装置本体の構造体の近傍にあることを特徴とする請求項１又は２に記載の画像形成装置。
【請求項４】
前記取っ手を引き出した状態で抜け落ち規制する部分を、取っ手の形状面部分でなく、せん断面において受けるようにしたことを特徴とする請求項１、２又は３に記載の画像形成装置。
【発明の詳細な説明】
【技術分野】
【０００１】
本発明は画像形成装置などの重量物を運搬、移動する際に便利なように、外側壁に設けた穴から取っ手が出入れ自在に支持されている場合に、取っ手周辺の障害物の存在にも拘わらず取っ手をしっかり把持して有効に利用することを可能ならしめるための技術に関する。
【背景技術】
【０００２】
複写機、プリンター、ファクシミリ装置等の画像形成装置にあっては、装置本体を人手によって移動する際に作業者の手により外側壁の適所を把持して持ち上げ易いように、装置本体の外側壁に設けた穴に取っ手を出入れ自在に構成することがある。このような収納式の取っ手は、低コスト化や、機構の単純化を図れるという理由から、装置本体内にスライド式に収納する方式が多く採用されている。
図４は従来の画像形成装置における取っ手の構造を示す斜視図である。画像形成装置１００の外側壁１０１の適所には穴１０２が開口しており、この穴１０２からは金属材料からなる取っ手１０３が出入れ自在に構成されている。取っ手１０３の突出時の方向は外側壁１０１の外面に対して直交する水平方向である。ところで、取っ手１０３は、運搬時に加わる大きな重量に耐える為に、外側壁内部に位置する高強度の構造体（フレーム）に対してスライド自在に支持しておく必要があるばかりでなく、取っ手を把持して移動する場合の重量バランスを考慮した位置に配置する必要があるため、装置本体における取っ手の配置場所は極めて限られた範囲となっている。このように取っ手の配置に適した場所が比較的狭い範囲に限定されることから、穴１０２の直近横方向に両面ユニット等のオプションユニットからなる突出部１０４が存在しているケースが多々発生する。そして、このようなケースでは、突出部１０４の存在によるレイアウト上の制約から、引き出した取っ手１０３と突出部１０４との間隔Ａが著しく狭くなり、作業者の手が入りにくく無理な姿勢での作業を強いられることが多々あった。
一方、突出部１０４を回避した把持し易い位置に取っ手を設けた場合には、構造体に対して取っ手を組み付けることができなくなるため、強度不足となり、更に専用の補強部材を必要とすることとなる。
【発明の開示】
【発明が解決しようとする課題】
【０００３】
本発明は上記に鑑みてなされたものであり、画像形成装置などの重量物を運搬、移動する際に便利なように、外側壁に設けた穴から取っ手が出入れ自在に支持されている場合に、取っ手周辺の障害物の存在にも拘わらず取っ手を十分な強度を有した構造体に支持しつつ、作業者が把持し易い姿勢で取っ手を利用することを可能とした画像形成装置を提供することを課題とする。
【課題を解決するための手段】
【０００４】
上記課題を解決するため、請求項１の発明は、外側壁に設けた穴から外側壁内外に出入れ可能に構成された直線状の取っ手を備え、該穴の横方向近傍の外側壁面に突出部が存在する画像形成装置において、前記取っ手を該穴から外部へ引き出した際に、取っ手が該突出部から離間する水平方向へ一定の傾斜角度をもって突出するように構成されていることを特徴とする。
請求項２の発明は、請求項１において、前記取っ手を前記穴から引き出した状態に於いて、該取っ手は前記穴内で所定の範囲内で上下方向へ傾動できるように構成されていることを特徴とする。
請求項３の発明は、請求項１又は２において、前記穴から引き出した前記取っ手を把持して上向きの荷重をかけた際に、取っ手後端部が当接して荷重がかる部分が、前記装置本体の構造体の近傍にあることを特徴とする。
請求項４の発明は、請求項１、２又は３において、前記取っ手を引き出した状態で抜け落ち規制する部分を、取っ手の形状面部分でなく、せん断面において受けるようにしたことを特徴とする。
【発明の効果】
【０００５】
請求項１の発明によれば、取っ手を外装面（外側壁）に対し、一定の傾斜角度をもって引き出せるので、取っ手と突出部との間に手が入るほどの隙間ができ、持ちやすくなる。
請求項２の発明によれば、引き出された取っ手は助下方向にも所定の範囲内で傾動できるので、取っ手の上縁部を穴の上縁部に引っ掛けて抜け落ちを防止することができる。
請求項３の発明によれば、取っ手は前側板に対しても一定の傾斜角度を持って設置されているので、結果的に取っ手の後端部、前側板に近い位置となり、取っ手に荷重がかかった状態でも、強度的に有利となり、補強部材を必要としないで十分な取っ手強度を得ることができる。
請求項４の発明によれば、取っ手後端部を図３（ｂ）に示したような垂直板状の曲げ形状とせずに、図３（ａ）に示すような水平板状のせん断部分とし、これによってブラケットからの抜け止めとしているため、より高い強度を得ることができる。
【発明を実施するための最良の形態】
【０００６】
以下、本発明を図面に示した実施の形態により詳細に説明する。
図１（ａ）及び（ｂ）は本発明の一実施形態に係る画像形成装置の構成を示す斜視図及び平面図であり、図２（ａ）及び（ｂ）は要部を断面で示す斜視図、及び更に要部を示す拡大斜視図である。
図１に示す画像形成装置１は、装置本体の外側壁（外装面）２の前部に穴３を有し、この穴２から装置内外に直線状の金属製取っ手４が出入れ自在に支持されている。一方、穴３の横方向直近位置には両面ユニット等のオプションユニットによる突出部５が配置されている。穴３と突出部５の前端部との間には僅かな隙間ｂしか存在しないため、取っ手４を外側壁２と直交する方向へ突出させた場合には作業者の手を差し入れるスペースを確保することができない。
一方、図２にも示すように内部の強度部品である構造体１０により取っ手４を支持するとすれば、穴３を形成する位置はこの周辺に極限される。
そこで、本発明では、取っ手４を穴３から外部へ引き出した際に、取っ手４が全体として突出部５から離間する水平方向へ一定の傾斜角度θをもってスライド自在に突出するように構成している。このように構成した結果、突出状態にある取っ手４の先端部と突出部５の前端部との間に形成されるスペースＢは人の手を差し入れるに十分なスペースとなる。
【０００７】
次に、図２（ａ）は画像形成装置１の前面外装板を除去した状態を示している。前面外装板の内側には構造体を構成する前側板１１が位置しており、前側板１１には、図１に示した引き出し式の給紙トレイ６を支持するための開口１２が形成されている。前側板１１（外側壁２の一部）の前面、及び左右の側板１１ａには強度部品である水平板状のフレーム（構造体）１０がネジ止めなどによって固定されている。図２（ｂ）に示すようにフレーム１０上にはブラケット１５が斜めに固定されており、ブラケット１５の支持穴１５ａ内には板金を所要の直線形状に加工した取っ手４が進退可能に支持されており、取っ手４の先端と対応する外側壁２（側板１１ａ）には前記穴３が開口形成されている。つまり、取っ手をブラケット１５に沿って進退させることにより、取っ手４は穴３から突出したり引っ込むことができる。
ブラケット１５の支持穴１５ａは、後述するように取っ手４を上下方向に傾動させ得る程度の余裕をもって寸法設定される。
従って、サービスマンやセールスマンやユーザーが装置本体を移動させるとき、図１のように装置本体から取っ手４を引き出して使用する。そして、取っ手４を引き出した際には、図３（ａ）に示すように、取っ手４の後端部４ａがブラケットの支持穴１５ａの端縁、或いはフレーム１０上面にひっかかり、それ以上引き出されないようになる。そして、作業者が取っ手４を持つことで、取っ手４の持ち手側（先端側）４ｂに上方に荷重Ｌがかかるので、穴３を形成した左右の側板１１ａを支点に、フレーム１０に荷重Ｌ１がかかる。
このとき、取っ手１は前側板１１に対しても一定の傾斜角度θ（θ＜９０度）をもって設置されているので、結果的に取っ手４の後端部４ａが、前側板１１に近い位置となり、取っ手に荷重がかかった状態でも強度的に有利となる。
【０００８】
図３（ａ）のように取っ手４を引き出して持ち上げた状態では、取っ手４の中間部上縁に設けた凸形状部４ｃが穴３の外部に出た状態で、側板１１ａの支点部分（穴３の上縁部）にかみ合うので、取っ手４を把持した状態のままで取っ手４が本体内部に入り込む事態を防止できる。
また、取っ手４の後端部４ａの上端縁には、図２（ｂ）に示すように横方向へ屈曲した突片状（水平板状）の曲げせん断部分４ｄが位置しており、この曲げせん断部分４ｄを使ってブラケット穴１５ａからの抜け止めとしている。
なお、取っ手後端部４ａを図３（ｂ）に示すような垂直板状の曲げ形状４ｅとすると、強度的に不利となる。
【図面の簡単な説明】
【０００９】
【図１】（ａ）及び（ｂ）は本発明の一実施形態に係る画像形成装置の構成を示す斜視図及び平面図。
【図２】（ａ）及び（ｂ）は要部を断面で示す斜視図、及び更に要部を示す拡大斜視図。
【図３】（ａ）は本発明の要部構成を示す縦断面図、（ｂ）は他の例を示す斜視図。
【図４】従来例の説明図。
【符号の説明】
【００１０】
１  画像形成装置、２  装置本体の外側壁（外装面）、３  穴、４  取っ手、４ａ  後端部、４ｂ  前部、４ｃ  凸形状部、４ｄ  曲げせん断部分、５  突出部、６  給紙トレイ、１０  フレーム、１１  前側板、１１ａ  側板、１２  開口、１５  ブラケット
【図１】
2005091946.tif 000003
【図２】
2005091946.tif 000004
【図３】
2005091946.tif 000005
【図４】
2005091946.tif 000006